(57)【要約】【課題】歩行不自由なペット犬等の犬の体を支えて歩行を補助する歩行補助具を提供すること。【解決手段】回転自在な車輪９を有する前脚フレーム２と後脚フレーム３が各連結部材４、５により連結固着された走行台車１と、  該走行台車１の前記両側連結部材４に両端が略Ｕ字状に取り付けられて、犬に着けられた胴腹部分着衣の外側から胴腹部分を釣支状に抱持する弾性網状抱持体１２と、これら弾性網状抱持体１２が取り付けられている前記両側連結部材４の略中央部位にそれぞれ取り付けられて、前記胴腹部分着衣の両側にその先端フック部を掛止して前記犬を釣支する弾性棒状釣支体を備えている。【選択図】    図１
0003145962.tif 000002
【実用新案登録請求の範囲】
【請求項１】
歩行不自由なペット犬等の犬（１００）の体を支えて歩行を補助する歩行補助具であって、
下端にそれぞれ回転自在な車輪（９）を有する略門型状の前脚フレーム（２）と後脚フレーム（３）の両側上部が連結部材（４）により連結されるとともに、前記前脚フレーム（２）と前記後脚フレーム（３）の前後部が連結部材（６）、（７）により連結され、さらに前記後脚フレーム（３）のやや上部後方には、両端に手押し把持部（１０）を有する手押し連結部材（１１）が連結固着されて構成された走行台車（１）と、
該走行台車（１）の前記両側連結部材（４）に両端が略Ｕ字状に取り付けられて、前記犬（１００）に着せられた胴腹部分着衣（１５）の外側から胴腹部分（１０１）を釣支状に抱着する弾性網状抱持体（１２）と、
これら弾性網状抱持体（１２）が取り付けられている前記両側連結部材（４）の略中央部位にそれぞれ取り付けられて、前記犬（１００）に着けられた前記胴腹部分着衣（１５）の両側にその先端フック部（１６）を掛止して前記犬（１００）を釣支する弾性棒状釣支体（１７）
を含む構成を特徴とする犬の歩行補助具。
【請求項２】
前記走行台車（１）における前記前方連結部材（６）に取り付けられて、前記犬（１００）の首輪部分（２２）に着脱自在に連結されて前記犬（１００）の首部分を支持する首部支持体（２３）と、前記走行台車（１）における前記両側連結部材（４）の後部寄り間に架設され、前記犬（１００）に着けられた腰部分着衣（２０）と着脱自在に連結されて前記犬（１００）の腰部分を釣支するための弾性棒状連結体（１９）を含む請求項１の犬の歩行補助具。
【請求項３】
前記走行台車（１）における前記一対の手押し把持部（１０）間にそれぞれの一端部が取り付けられ、かつそれぞれの自由端部が互いに連結・分離自在とされた同伴者が体を押し当てて前記走行台車（１）を押すための体押し当て帯状体（３０）、（３１）を含む請求項１または２いずれか１項の犬の歩行補助具。
【考案の詳細な説明】
【技術分野】
【０００１】
本考案は、犬の歩行補助具に関し、さらに詳しくは、年老いたり、歩行が不自由になったりしたペット等の犬の歩行を助ける補助具に関する。
【背景技術】
【０００２】
従来、この種技術としては、特許文献１に記載のものが知られている。
【０００３】
すなわち、特許文献１には、それぞれの下部に車輪を有する２本の前脚および後脚からなる走行台車の支持ロッドに、犬の胴部を包み込む吊り下げ支持体を吊り下げ、この吊り下げ支持体で犬の体を支えて歩行を補助する歩行補助具が開示されている。
【０００４】
しかしながら、この特許文献１に開示のものは、犬はその胴部を前後２本の吊り下げ支持体で支えられものであるから、足腰の弱くなっている老犬や歩行不自由な犬にとっては胴部にかかる力が大きくなって、優しくかつ安定した歩行ができないという問題点があった。
【０００５】
また、犬の腰部分に対する吊り下げ等の補助手段は何ら採られていないため、腰が弱くなって後ろ足で十分に立っていられないような老犬等の場合には、足腰にかかる体重を低減することができず、歩行が困難になるという問題点があった。
【特許文献１】特開２００３−００９７０４号公報
【考案の開示】
【考案が解決しようとする課題】
【０００６】
本考案が解決しようとする問題点は、足腰の弱くなった歩行不自由な老犬や、介護を要する寝たきり等の歩行困難な犬にとっては、胴腹部や足腰部にかかる負担が大きくなって、自身による安定的な歩行が容易にできないという点である。
【０００７】
したがって、本考案の目的は、足腰の弱くなった歩行不自由な老犬や、介護を要する寝たきり等の歩行困難な犬であっても胴腹部や足腰にかかる体重を低減して、優しくかつ安定的に歩行可能とした犬の歩行補助具を提供することにある。
【０００８】
この目的のため、本考案の請求項1に記載の犬の歩行補助具は、歩行不自由なペット犬等の犬１００の体を支えて歩行を補助する歩行補助具であって、
下端にそれぞれ回転自在な車輪９を有する略門型状の前脚フレーム２と後脚フレーム３の両側上部が連結部材４により連結されるとともに、前記前脚フレーム２と前記後脚フレーム３の前後部が連結部材６、７により連結され、さらに前記後脚フレーム３のやや上部後方には、両端に手押し把持部１０を有する手押し連結部材１１が連結固着されて構成された走行台車１と、
該走行台車１の前記両側連結部材４に両端が略Ｕ字状に取り付けられて、前記犬１００に着けられた胴腹部分着衣１５の外側から胴腹部分１０１を釣支状に抱持する弾性網状抱持体１２と、
これら弾性網状抱持体１２が取り付けられている前記両側連結部材４の略中央部位にそれぞれ取り付けられて、前記犬１００に着けられた前記胴腹部分着衣１５の両側にその先端フック部１６を掛止して前記犬１００を釣支する弾性棒状釣支体１７
を含む構成を特徴とするものである。
【０００９】
請求項２に記載の犬の歩行補助具は、前記走行台車１における前記前方連結部材６に取り付けられて、前記犬１００の首輪部２２に着脱自在に連結されて前記犬１００の首部分を支持する首部支持体２３と、前記走行台車１における前記両側連結部材４の後部寄り間に架設され、前記犬１００に着けられた腰部分着衣２０と着脱自在に連結されて前記犬１００の腰部分を釣支するための弾性棒状連結体１９を含む構成を特徴とするものである。
【００１０】
請求項３に記載の犬の歩行補助具は、前記走行台車１における前記一対の手押し把持部１０間にそれぞれの一端部が取り付けられ、かつそれぞれの自由端部が互いに連結・分離自在とされた同伴者が体を押し当てて前記走行台車１を押すための体押し当て帯状体３０、３１を含む構成を特徴とするものである。
【考案の効果】
【００１１】
請求項1に記載の考案によれば、走行台車１の両側連結部材４、４間にゴム製の弾性網状抱持体１２が略Ｕ字状に設けられるとともに、該弾性網状抱持体１２が取り付けられている両側連結部材４の略中央部位には、先端フック部１６を有する略逆Ｕ字状のゴム製の弾性棒状釣支体１７が設けられて、犬１００はその胴腹部分着衣１５の外側から胴腹部分１０１が釣支状に抱持されるとともに、犬１００に着けられた胴腹部分着衣１５の両側に、左右の弾性棒状釣支体１７の各先端フック部１６が掛止されて犬１００は、弾性網状抱持体１２による釣支状の抱持と、弾性棒状釣支体１７による釣支により少し持ち上げられた感じで支承されるので、足腰の弱くなった歩行不自由な老犬や、介護を要する寝たきり等の歩行困難な犬であっても胴腹部や足腰にかかる体重、振動は分散されて低減、吸収されて自身による安定的な歩行が可能となる。
【００１２】
請求項２に記載の考案によれば、走行台車１における前方連結部材６に、犬１００の首輪部分２２に着脱自在に連結されて犬１００の首部分を支持する首部支持体２３が設けられるとともに、走行台車１における両側連結部材４の後部寄り間には、犬１００に着けられた腰部分着衣２０と着脱自在に連結されて犬１００の腰部分を釣支するための弾性棒状連結体１９が架設されているから、請求項１に記載の考案と相まって、足腰の弱くなった歩行不自由な老犬や、介護を要する寝たきり等の歩行困難な犬であっても足腰部にかかる負担を低減し得て、自身による安定的にして、かつ優しい歩行が可能となる。
【００１３】
請求項３に記載の考案によれば、走行台車１における一対の手押し把持部１０間にそれぞれの一端部が取り付けられ、かつそれぞれの自由端部が互いに連結・分離自在とされた同伴者が体を押し当てて走行台車１を押すための体押し当て帯状体３０、３１が設けられているから、同伴者が女性や老人の場合、上り坂道を歩行させる場合にあっては、体を押し当てて走行台車１を走行させればよいから、同伴者の労力を軽減することができる。
【考案を実施するための最良の形態】
【００１４】
以下、本考案を実施するための最良の形態について、図面を参照し、その作用と共に説明する。
【００１５】
図１は、本考案に係る犬の歩行補助具の一例での概略正面図、図２は、概略平面図、図３は、概略側面図、図４は、弾性棒状釣支体の正面図、図５は、弾性網状抱持体の部分図、図６は、犬に対する使用状態の説明図、図７は、図６における体押し当て帯状体部分の概略拡大平面図である。
【００１６】
これら図において、本考案に係る犬の歩行補助具は、歩行不自由なペット犬等の犬の体を支えて歩行を補助するための補助具であって走行台車、弾性網状抱持体、弾性棒状釣支体等を含んでいる。
【００１７】
走行台車１は、前脚フレーム２と後脚フレーム３を有し、後脚フレーム３は前脚フレーム２よりも高く形成され、これら前後脚フレーム２、３の左右両側は前脚フレーム２の最上部においてそれぞれの連結部材４により連結されるとともに、やや下部においては連結部材５により連結され、また、前脚フレーム２と後脚フレーム３の前後部（前脚フレーム２の最上部よりやや下部位置と、後脚フレーム３におけるこの下部位置と同等位置）は連結部材６、７により連結されている。
【００１８】
前脚フレーム２は、好ましくは、アルミニュウム等の軽金属材による中空パイプにより略門型状に形成され、また、後脚フレーム３も同様にアルミニュウム等の軽金属材による中空パイプにより略門型状にして、かつ前脚フレーム２よりも高く形成されている。
【００１９】
前脚フレーム２と後脚フレーム３は、その左右両側において４本の補強ステー８により連結されて補強されている。
【００２０】
前脚フレーム２の両下端と後脚フレーム３の両下端には、それぞれ車輪９が回転自在に設けられ、これら車輪９の回転を介して走行台車１は走行自在となっている。
【００２１】
なお、車輪９はキャスタであってもよく、また、ロック機構付であってもよい。車輪は犬１００に負担を強いることなく台車１の走行をスムーズにして、かつ軽快に行わせるに適するものが適宜選択される。
【００２２】
後脚フレーム３のやや上部後方には、それぞれの端部に手押し把持部１０を有する左右２本の手押し部材１１の一端部が水平に連設固着される。
【００２３】
走行台車１における両側の最上部連結部材４、４の内側には、弾性網状抱持体１２が略Ｕ字状に取り付けられている。
【００２４】
弾性網状抱持体１２は、例えば、ゴム製環体を連設した吊り下げ部１３と、これと連設のゴム製の柔らかい網状部１４からなり、犬１００は、その着衣された胴腹部分着衣１５の外側から胴腹部分１０１が釣支状に抱着されるようになっている。
【００２５】
弾性網状抱持体１２が取り付けられている両側の最上部連結部材４、４の略中央部位には、それぞれ先端部にフック部１６を有し、かつ左右対称形の逆Ｕ字状に形成されたゴム製の弾性棒状釣支体１７が取り付けられている。
【００２６】
弾性棒状釣支体１７は、その左右それぞれ２つのフック部１６が、犬１００に着衣された胴腹部分着衣１５に設けられている掛止受部１８に掛止されることにより犬１００は釣支され、弾性網状抱持体１２による抱着と相まって犬１００はその足腰にかかる体重を分散して低減できるようになっている。
【００２７】
図２および図３に示されているように、走行台車１における両側最上部連結部材４間の後寄りには、ゴム製による弾性棒状連結体１９が架設され、この弾性棒状連結体１９には、犬１００の足を出して腰部分に着衣された腰部分着衣２０の吊り下げ片部２１が着脱自在に取り付けられて、犬１００の腰部分が釣支されるようになっている。
【００２８】
また、走行台車１における前方の連結部材６の中央部位には弾性を有する首部支持体２３が設けられ、この首部支持体２３が犬１００の首輪部２２に着脱自在に連結されて犬１００の首部分を支持するようになっている。
【００２９】
なお、腰部分着衣２０の釣支や首部分の支持は、犬１００の健康状態等に対応して適宜選択される。
【００３０】
左右２本の手押し部材１１は、架設された連結部材２４により補強されるとともに、後脚フレーム３の最上部には、２本の手押し部材１１間に跨る幅を有するハンモック２５の一端縁部が取り付けられ、不使用時にはこれを小さく巻いて置き、犬１００が散歩中に歩行できなくなった場合には、ハンモック２５の自由端部を連結部材４上において前脚フレーム２の方向に広げ、この上に犬１００を乗せて休み置くようになっている。
【００３１】
また、図１において、前脚フレーム２の最上部には照明具２６が設けられ、これにより夜間においても安全に使用できるようになっている。
【００３２】
図２および図７に示されているように、左右２本の手押し部材１１には、それぞれ腕部材２７の一端部が固着具２８を介して水平に取り付けられるとともに、各腕部材２７の他端部には、ベルト状の体押し当て帯状体２９、３０の一端部が取り付けられ、かつ左右二つの体押し当て帯状体２９、３０の自由端はその中央位置において着脱具３１、３２により連結・分離自在とされ、使用時においては体押し当て帯状体２９、３０を一体状に連結して、この連結の体押し当て帯状体２９、３０に同伴者が体を押し当てながら手押し把持部１０を持って走行台車１を走行させ、また、不使用時においては、体押し当て帯状体２９、３０を着脱具３１、３２の操作を介して分離した上、各固着具２８を緩めて各腕部材２７を下方部位まで回動させ置ことにより、同伴者の邪魔にならないようになっている。
【００３３】
また、特に図示しないが、走行台車１の適所に、雨傘の差込口を設けることにより、雨降り日に犬に雨具を着せなくとも差込口に差し込まれた傘により濡れないで散歩させることができるようになっている。
【００３４】
次に、使用方法について説明する。
【００３５】
犬１００には、前後の足を出した状態で胴腹部分着衣１５と必要により腰部分着衣２０が着せられ、胴腹部分着衣１５の部分が弾性網状抱持体１２により抱持釣支されるとともに、胴腹部分着衣１５の両側部分がそれぞれ弾性棒状釣支体１７の４つのフック部１６で釣支され、必要により腰部分着衣２０が吊り下げ片部２１を介して弾性棒状連結体１９に連結されて腰部分が釣支され、さらに首部支持体２３が首輪部２２に連結されて首部分が支持されて犬１００は走行台車１に支承されるので、胴腹部や足腰にかかる体重、振動は分散されて低減、吸収されるとともに、犬１００の歩行に応じ、かつ同伴者の手押し把持部１０を把持しての歩行に応じて走行台車１が走行するので、足腰の弱くなった歩行不自由な老犬や介護を要する歩行困難な犬であっても自身の足で安定的な歩行が可能となる。
【００３６】
同伴者が女性や老人の場合や上り坂道を歩行させる等の場合にあっては、同伴者が一体的に連結された体押し当て帯状体３０、３１に体を押し当てて走行台車１を走行させれば、労少なくして犬の散歩をすることができる。
【図面の簡単な説明】
【００３７】
【図１】本考案に係る犬の歩行補助具の一例での概略正面図である。
【図２】概略平面図である。
【図３】概略側面図である。
【図４】弾性棒状釣支体の正面図である。
【図５】弾性網状抱持体の部分図である。
【図６】犬に対する使用状態の説明図である。
【図７】図６における体押し当て帯状体部分の概略拡大平面図である。
【符号の説明】
【００３８】
１    走行台車
２    前脚フレーム
３    後脚フレーム
４、５、７    連結部材
９    車輪
１０    手押し把持部
１１    手押し連結部材
１２    弾性網状抱持体
１５    胴腹部分着衣
１６    フック部
１７    弾性棒状釣支体
１９    弾性棒状連結体
２０    腰部分着衣
２２    首輪部
２３    首部支持体
２９、３０    体押し当て帯状体
１００    犬
【図１】
0003145962.tif 000003
【図２】
0003145962.tif 000004
【図３】
0003145962.tif 000005
【図４】
0003145962.tif 000006
【図５】
0003145962.tif 000007
【図６】
0003145962.tif 000008
【図７】
0003145962.tif 000009